(57)【要約】【課題】  ユーザが簡単に複数のフラグ情報を変更可能に登録して新規な多段バーコードを構成できる多段バーコード発行装置を提供する。【解決手段】  バーコードプリンタは、二段バーコードであることを示すフラグを複数対にして登録したプリンタ側フラグテーブルと、新規な多段バーコードを構成する複数のフラグ情報を変更可能に登録する手段を備え、ホストコンピュータは二段バーコードのフラグ情報をホスト側フラグテーブルに記憶し、バーコードプリンタから新規な二段バーコードのフラグ情報を登録する際に、プリンタ側フラグテーブルとホスト側フラグテーブルとを比較し、旧い方を新しい方に同期させて更新する。【選択図】        図３
2007272599.tif 000002
【特許請求の範囲】
【請求項１】
バーコードプリンタと、該バーコードプリンタに多段バーコードを印字させるためのホストコンピュータとを含んでなる多段バーコード発行装置において、前記バーコードプリンタは、多段バーコードであることを示すフラグを複数対にして登録したプリンタ側フラグテーブルと、新規な多段バーコードを構成する複数のフラグ情報を変更可能に登録する手段を備え、前記ホストコンピュータは多段バーコードのフラグ情報をホスト側フラグテーブルに記憶し、前記バーコードプリンタから新規な多段バーコードのフラグ情報を登録する際に、プリンタ側フラグテーブルとホスト側フラグテーブルとを比較し、内容が一致しない場合に、一方を他方に同期させて更新することを特徴とする多段バーコード発行装置。
【請求項２】
前記プリンタ側フラグテーブルとホスト側フラグテーブルとを比較し、内容が一致しない場合に、ホスト側フラグテーブルをプリンタ側フラグテーブルに同期させて更新する、請求項１に記載の多段バーコード発行装置。
【請求項３】
前記プリンタ側フラグテーブルとホスト側フラグテーブルとを比較し、内容が一致しない場合に、プリンタ側フラグテーブルをホスト側フラグテーブルに同期させて更新する、請求項１に記載の多段バーコード発行装置。
【発明の詳細な説明】
【技術分野】
【０００１】
本発明は、多段バーコード発行装置に関し、特に各バーコードブロック毎にあるバーコードの種別を示すフラグを変更可能に登録できるようにした多段バーコード発行装置に関する。
【背景技術】
【０００２】
近年、商品は多種多様化するとともに短サイクル化し、売り上げ、受注、発注等、迅速かつキメ細かな商品管理が求められている。
【０００３】
図６は従来の商品管理方法を示す説明図である。
１はＰＯＳ（Ｐｏｉｎｔ  ｏｆ  ｓａｌｅ）システムを構成するストアコントローラ等のホストコンピュータであり、該ホストコンピュータ１には各商品毎の商品コード、商品名、単価や販売数等の情報を蓄積した商品マスターファイル（図中、「商品Ｍファイル」と略記する）２と、該商品マスターファイル２を構成する商品情報を入力する為のキーボード３等の入力機器を備えている。
この商品マスターファイル２には商品コードと商品価格とが対応して記録されたＰＬＵ（Ｐｒｉｃｅ  Ｌｏｏｋ  Ｕｐ）テーブルや商品の名称，部門番号等の商品情報が登録されている。
【０００４】
４はホストコンピュータ１にＬＡＮ（Ｌｏｃａｌ  Ａｒｅａ  Ｎｅｔｗｏｒｋ）等で接続された販売端末で、該販売端末４はバーコードスキャナ５、カードリーダ６、キーボード７、表示部８、プリンタ９等を備えている。
これらの販売端末４では、お客が商品１０を買い求めた時、その商品に付されているバーコード１１をバーコードスキャナ５で読み取り、そのコードがＬＡＮを介して検索され、商品マスターファイル２に登録されている場合は、上記コードと対応して登録されている商品情報、商品価格に基づいてレシート１２への印字等の売り上げ登録を行ない、登録されていない場合は、キーボード７から人手によって入力される商品情報、商品価格に基づいて売り上げ登録を行なう。
【０００５】
１００はサーバーで、該サーバー１００には図示はしないが、上述したのと同様なホストコンピュータ１，販売端末４が複数接続されている。
【０００６】
ここでバーコードについて触れておくと、加工食品や雑貨などの生産・包装段階で商品パッケージにメーカーが直接印刷したバーコードをソースマーキングといい、ソースマーキングは、JAN８／13で世界的に統一されたコード体系を採用している。
【０００７】
一方、小売店の現場でJANコードのラベルが作成できるように、JANコードの国別番号のうち20〜29はインストアマーキング用に指定されている。
インストアマーキングの方法には図７に掲げる種類があり、価格を含んだコードは生鮮食品や計量商品など価格が個々に異なる場合に使用されている。
ユーザーはバーコードプリンタ（ラベルプリンタ）２００を用いてインストアマーキングを行うことができるようになっている。
【０００８】
【特許文献１】特開平６−４７００号公報
【発明の開示】
【発明が解決しようとする課題】
【０００９】
しかし、上記一段のバーコードで各種情報を表現するには限りがあり、ソースマーキングでは既に書籍や雑誌に二段バーコードが採用されている。
そこで、ユーザ等によりインストアマーキングにも二段以上のバーコードを使用して商品管理を実施したいという要求が発生した。
【００１０】
然るに、従来のバーコードプリンタでは、二段バーコードのフラグを変更するには、プリンタのファームウエアのプログラムソースを変更するしか方法が無かった。
【００１１】
本発明は上記従来技術の問題に鑑みなされたもので、本発明は、ユーザが簡単に複数のフラグ対情報を変更可能に登録して新規な多段バーコードを構成できる多段バーコード発行装置を提供することを目的としている。
【課題を解決するための手段】
【００１２】
上記課題を解決するため、本発明が採用する構成は、バーコードプリンタと、該バーコードプリンタにバーコード印字させるためのホストコンピュータとを含んでなる多段バーコード発行装置において、前記バーコードプリンタは、多段バーコードであることを示すフラグを複数対にして登録したプリンタ側フラグテーブルと、新規な多段バーコードを構成する複数のフラグ情報を変更可能に登録する手段を備え、前記ホストコンピュータは多段バーコードのフラグ情報をホスト側フラグテーブルに記憶し、前記バーコードプリンタから新規な多段バーコードのフラグ情報を登録する際に、プリンタ側フラグテーブルとホスト側フラグテーブルとを比較し、内容が一致しない場合には、一方を他方に同期して更新することを特徴とする。
【００１３】
ここで、上記プリンタ側フラグテーブルとホスト側フラグテーブルとを比較し、内容が一致しない場合に、ホスト側フラグテーブルをプリンタ側フラグテーブルに同期させて更新するようにできる。
【００１４】
また、上記プリンタ側フラグテーブルとホスト側フラグテーブルとを比較し、内容が一致しない場合に、プリンタ側フラグテーブルをホスト側フラグテーブルに同期させて更新するようにしてもよい。
【００１５】
上記構成によれば、バーコードプリンタに登録した新規な多段バーコードのフォーマットがホストコンピュータに反映されるので、新規なフラグの組み合わせからなる多段バーコードを採用したい場合に、ＰＯＳシステムを構成する各機器のプログラム変更を経なくても、すぐに新規な多段バーコードラベルを読み取ることができるようになる。
【発明の効果】
【００１６】
本発明によれば、新規な多段バーコードを発行しようとするとき、読取装置やホストコンピュータに個別に登録しなくてもバーコードプリンタからの登録内容が自動的に反映される。
【発明を実施するための最良の形態】
【００１７】
以下、本発明の実施の形態を図示例と共に説明する。
【００１８】
以下、本発明の最も好ましい実施の形態について添付図を用いて詳述する。なお、上述した従来の技術と同一の構成要素に同一符号を付し、その説明は省略する。
【００１９】
図１中、Ｌ１は本実施の形態で扱う二段バーコードの例を示すもので、各バーコードブロックの頭初に多段バーコードであることを識別するフラグ２文字「２１」と「２９」を有するとともに、データ１０文字と最終チェック（モジュラス１０チェック）コード１文字とを有する計１３文字より成る多段バーコードで、これにより図示のような商品、価格等を倍の情報で表すことが可能になる。図示例では、商品の色柄、サイズなども記録されている。
【００２０】
図１中、Ｌ２は二段バーコードをインストアマーキングの値下げラベルに用いた例である。この値下げラベルをレジのオペレータが、商品のコード表示部分をスキャナで読み取らせると、見切後の商品価格がレジスタに入力される。たとえば、レジスタは二段バーコード２の各バーコードＡ，Ｂの先頭部のフラグ１２により二段バーコードであることを認識し、元売価格および値引き後価格（１２４円）として認識することができる。したがって、オペレータがバーコードをレジで読み取らせるだけで値引きも同時に行うことができ、レジにおける値引き忘れを防止できる。しかも、商品についての値下げ前の情報を知ることもできるから、売上げの管理を行ったり、商品コードに応じた商品名を表示したり、レジスタのプリンタでレシートに印字することもできる。
【００２１】
次に、図２は実施の形態におけるＰＯＳシステムの構成例を示し、同図は上述した従来技術の図５に相当するものである。
ＰＯＳシステムは従来技術のものとほぼ同様に構成されるが、
バーコードプリンタ２００はホストコンピュータ１００とＬＡＮ接続され、当該バーコードプリンタの起動時に後述する図３のフローチャートに示す処理を行うようになっている。
【００２２】
まず、ホストコンピュータ１００とバーコードプリンタ２００とはいずれもバーコードプリンタ２００が発行する二段バーコードの各バーコードブロックの先頭のフラグの組み合わせを対にして記憶したフラグテーブルを記憶装置内に備えている。
前述した例で言えば、ラベルＬ１の一段目のフラグ２１と二段目のフラグ２９の対、ラベルＬ２の一段目のフラグ１２と二段目のフラグ１２の対の如きである。
【００２３】
この場合、例えばホストコンピュータ１００側のフラッグテーブルはＰＬＵテーブルなどと関連付けされていてもよい。
インストアマーキングの場合、バーコードプリンタ側のフラグテーブルとホストコンピュータ側のフラグテーブルが一致しないと二段バーコードを正しく認識しないので、本発明ではバーコードプリンタ側で新たなフラグの組み合わせからなる二段バーコードを印刷できるようにするのと同時に、ホストコンピュータに照会してバーコードプリンタ側のフラグテーブルとホストコンピュータ側のフラグテーブルを同期させるようにした。
【００２４】
以下にその手順を説明する。
まず、バーコードプリンタ２００の電源投入と同時に処理がスタートし、新しい二段バーコードのフラグをバーコードプリンタ２００内の不揮発性メモリに登録する操作を行うのか（Ｙ）、通常の印字動作を行うのか（Ｎ）選択する（ステップ１）。
【００２５】
ステップ１が（Ｙ）の場合、ホストコンピュータ１００に接続し（ステップ２）、ホストコンピュータ１００側のフラグテーブルとバーコードプリンタ２００側のフラグテーブルのいずれが新しいか、例えば各テーブル更新日時のタイムスタンプを比較する（ステップ３）。ホストコンピュータ側が新しい場合（Ｙ）、ホストコンピュータ１００側のフラグテーブルでバーコードプリンタ２００側のフラグテーブルを上書きしてホスト側に同期させ（ステップ４）、ステップ３に戻る。
【００２６】
ステップ３が（Ｎ）の場合、図４の画面をバーコードプリンタの表示装置（不図示）に表示し、フラグの入力を行う（ステップ５）。登録ボタン（不図示）を押すと、バーコードプリンタ内のフラグテーブルを検索し、既登録のフラグの組み合わせと重複しないか調べ（ステップ６）、重複する場合（Ｙ）は変更を促すメッセージを表示し（ステップ７）、ステップ５に戻る。
ステップ６が（Ｎ）の場合は、バーコードプリンタ２００内の不揮発性メモリ等に書き込み（ステップ８）、リターンする。
【００２７】
なお、ステップ１が（Ｎ）の場合はバーコードプリンタとしての通常の印字動作を行う（ステップ９）。
【００２８】
以上のように、バーコードプリンタ２００に新規な二段バーコードのフラグを登録したり変更するときに、ホストコンピュータのフラグテーブルとの間で新旧を比較し、バーコードプリンタ側のフラグテーブルが旧い場合にはホストコンピュータ側のフラグテーブルで上書きした後に、バーコードプリンタ側に登録を行い、リターンすることとしたので、プリンタ側で行った新規な登録は必ずホストコンピュータに反映するようにでき、ＰＯＳシステムの効率的運用に供することができる。
【００２９】
次いで、図５を用いバーコード読み取りシステム（ＰＯＳシステム）側の取り扱いについて説明する。
【００３０】
まず、ステップ１０でスキャナ等が読み取ったバーコードの種類をそのフラグの値から判別する。即ち、通常バーコードスキャナは読取範囲にあるバーコードを入力するのみなので、どちらか一方のバーコードのみが入力されたり、読み取るごとに順番が一定せずに出力してしまう。
これを防ぐために、二段バーコードには上下２つのバーコードはペアであるという認識をさせ、いずれが二段バーコードの上段のフラグであり、下段のフラグであるかを対にして登録しておく。
【００３１】
ステップ１０が（Ｙ）の場合、即ち二段バーコードのフラグを検出した場合は片方ずつ２つのバーコードを読み取るまで繰り返す（ステップ１１、ステップ１２、ステップ１３（Ｎ））。
【００３２】
二段バーコードの上段、下段両方読取った段階で二段バーコードとしてデータ出力する（ステップ１４）。
一方、ステップ１０で一段バーコードと認識した場合（Ｎ）は、通常の一段バーコードとしてデータ出力する。
【００３３】
以上のように、本実施の形態によれば、バーコードプリンタに新規な多段バーコードのフラグを登録したり変更するときに、ホストコンピュータのフラグテーブルとの間で新旧を比較し、バーコードプリンタ側のフラグテーブルが旧い場合にはホストコンピュータ側のフラグテーブルで上書きした後に、バーコードプリンタ側に登録を行い、リターンすることとしたので、プリンタ側で行った新規な登録は必ずホストコンピュータに反映するようにでき、ＰＯＳシステムの効率的運用に供することができる。
【００３４】
また、新規な多段バーコードを登録してインストアマーキングに用いることができるので、多種多様な商品管理ができる。
【図面の簡単な説明】
【００３５】
【図１】本発明の実施の形態に係る二段バーコードラベルを示す説明図である。
【図２】実施の形態に係る二段バーコード発行装置を示すシステム構成図である。
【図３】実施の形態に係る二段バーコード発行装置のフラグ登録手順を示すフローチャートである。
【図４】フラグ設定画面の説明図である。
【図５】二段バーコードの読み取り手順を示すフローチャートである。
【図６】従来のＰＯＳシステムを示す説明図である。
【図７】従来のインストアマーキングに係るバーコードの構成説明図である。
【符号の説明】
【００３６】
１００…ホストコンピュータ、２００…バーコードプリンタ、Ｌ１、Ｌ２…二段バーコードラベル
【図１】
2007272599.tif 000003
【図２】
2007272599.tif 000004
【図３】
2007272599.tif 000005
【図４】
2007272599.tif 000006
【図５】
2007272599.tif 000007
【図６】
2007272599.tif 000008
【図７】
2007272599.tif 000009